(57)【要約】【課題】壁用木材１の収縮を縦枠材１５との摺動で吸収でき、案内柱３３に影響を与えない。予め壁パネル２０を組み上げ、施工を簡略化・短縮化する。【解決手段】壁用木材１、１を、縦枠材１５に連結しながら、積み上げ、壁パネル２０Ａ、２０Ｂとする。上下の壁用木材１、１はだぼにより水平方向の移動が規制され、上下方向は縦枠材１５に沿って摺動する。土台３０に立設した案内柱３３、３３間に、壁パネル２０Ａを配置し、案内柱３３と縦枠材１５とを固定する。壁パネル２０Ａに、中間梁３６を挟んで壁パネル２０Ｂを重ね、同様に案内柱３３に固定し、更に上部梁４０を載せる。両梁３６、４０を、両端部に固定した接合金物２３を介して、案内柱３３に取付ける。上部梁４０に屋根を、中間梁３６に二階床を夫々接合し、建築構造物とする。鉛直荷重は、壁用木材１、１の全面圧縮で抵抗し、水平荷重は、だぼと通しボルト４４のせん断力で抵抗する。【選択図】図３
2004124698.tif 000002
【特許請求の範囲】
【請求項１】
以下の構造としたことを特徴とする建築構造物。
（１）　壁用木材を横にして上下に積み上げ、上下に隣接する壁用木材を移動規制手段で接合する。前記積み上げた壁用木材の両端を、縦に並列した縦枠材で夫々連結して、壁パネルを構成する。
（２）　下横架材に、所定間隔で縦に配置した案内柱の下端を固定する。
（３）　隣接する前記案内柱間に、前記縦枠材が前記案内柱に沿うように、前記壁パネルを配置し、前記縦枠材を前記案内柱に固定する。
（４）　前記案内柱の上端部に、上横架材の両端部を、前記案内柱に沿って取付け、該上横架材を前記壁パネルの上端に重ねる。
（５）　前記上横架材から前記各壁用木材を貫通して前記下横架材に至る、縦方向の補強棒材を配置する。
【請求項２】
以下の構造としたことを特徴とする建築構造物。
（１）　下横架材に、所定間隔で縦に配置した案内柱の下端を固定する。
（２）　前記両案内柱の対向する面に、縦枠材を固定する。
（３）　前記該縦枠材間に、横にして配置した壁用木材を上下に積み上げると共に、上下に隣接する壁用木材を移動規制手段で接合し、かつ前記壁用木材の両端部を前記縦枠材に嵌合する。
（４）　前記案内柱の上端部に、上横架材の両端部を、前記案内柱に沿って取付け、該上横架材を最上段に位置する壁用木材の上端に重ねる。
（５）　上横架材から前記各壁用木材を貫通して前記下横架材に至る、縦方向の補強棒材を配置する。
【請求項３】
案内柱の上端部に、筒状の接合金物を、前記安内柱に沿って上下に摺動可能となるように嵌装し、該接合金物に放射状に突設した接合腕に、上横架材の端部を固定したことを特徴とする請求項１又は請求項２記載の建築構造物。
【請求項４】
以下の構造としたことを特徴とする壁パネル。
（１）　両端部に嵌合部を形成した壁用木材を、横にして上下に積み上げ、上下に隣接する前記壁用木材を移動規制手段で接合する。
（２）　積み上げた前記壁用木材の両端部に縦枠材を配置し、前記嵌合部を縦枠材に沿って形成した被嵌合部に嵌合して、積み上げた前記壁用木材と縦枠材とを連結する。
【請求項５】
壁用木材の嵌合部を縦枠材の被嵌合部に、上下に摺動可能に嵌合することを特徴とする請求項４記載の壁パネル。
【発明の詳細な説明】
【０００１】
【発明の属する技術分野】
この発明は、壁の構造に特徴を有する建築構造物及び壁パネルに関する発明で、主にログハウスの壁構造に適用される。
【０００２】
【従来の技術】
いわゆるログハウス構造では、軸を横にして配置した壁用木材（いわゆる丸太）を積み上げて壁を形成し、壁用木材の両端部で、隣接する壁用木材を交差して固定して、壁構造を形成していた。
【０００３】
【特許文献】特開平６−２００５７１
【０００４】
【発明が解決しようとする課題】
通常木材は、水分が蒸発する等による経年変化で、縮む傾向があり、構築時の含水状況や気候条件により異なるが、軸に直角な方向（半径方向。柾目幅）では、２〜５％程度の収縮が生じる場合があった。尚、木材の軸方向（繊維方向。樹幹方向）の収縮は０．１〜０．３％程度である。
【０００５】
いわゆるログハウス構造では、軸を横にして壁用木材を使用するので、上下方向での収縮を想定して構築してあるが、それでも隙間が生じる問題点があった。
【０００６】
また、ログハウス構造では、構築現場で、壁用木材を組み立て構築するため、多くの作業者を要し、作業日数の短縮を拒む要因となっていた。
【０００７】
【課題を解決するための手段】
然るにこの発明では、上下に積み上げた壁用木材の両端を縦枠材で連結し、縦枠材を案内柱に固定したので、前記問題点を解決した。
【０００８】
即ちこの発明の内、建築構造物の発明は、以下の構造としたことを特徴とする建築構造物である。
（１）　壁用木材を横にして上下に積み上げ、上下に隣接する壁用木材を移動規制手段で接合する。前記積み上げた壁用木材の両端を、縦に並列した縦枠材で夫々連結して、壁パネルを構成する。
（２）　下横架材に、所定間隔で縦に配置した案内柱の下端を固定する。
（３）　隣接する前記案内柱間に、前記縦枠材が前記案内柱に沿うように、前記壁パネルを配置し、前記縦枠材を前記案内柱に固定する。
（４）　前記案内柱の上端部に、上横架材の両端部を、前記案内柱に沿って取付け、該上横架材を前記壁パネルの上端に重ねる。
（５）　前記上横架材から前記各壁用木材を貫通して前記下横架材に至る、縦方向の補強棒材を配置する。
【０００９】
また、他の建築構造物の発明は、以下の構造としたことを特徴とする建築構造物である。
（１）　下横架材に、所定間隔で縦に配置した案内柱の下端を固定する。
（２）　前記両案内柱の対向する面に、縦枠材を固定する。
（３）　前記該縦枠材間に、横にして配置した壁用木材を上下に積み上げると共に、上下に隣接する壁用木材を移動規制手段で接合し、かつ前記壁用木材の両端部を前記縦枠材に嵌合する。
（４）　前記案内柱の上端部に、上横架材の両端部を、前記案内柱に沿って取付け、該上横架材を最上段に位置する壁用木材の上端に重ねる。
（５）　上横架材から前記各壁用木材を貫通して前記下横架材に至る、縦方向の補強棒材を配置する。
【００１０】
また、前記において、案内柱の上端部に、筒状の接合金物を、前記安内柱に沿って上下に摺動可能となるように嵌装し、該接合金物に放射状に突設した接合腕に、上横架材の端部を固定したことを特徴とする建築構造物である。
【００１１】
また、壁パネルの発明は、以下の構造としたことを特徴とする壁パネルである。
（１）　両端部に嵌合部を形成した壁用木材を、横にして上下に積み上げ、上下に隣接する前記壁用木材を移動規制手段で接合する。
（２）　積み上げた前記壁用木材の両端部に縦枠材を配置し、前記嵌合部を縦枠材に沿って形成した被嵌合部に嵌合して、積み上げた前記壁用木材と縦枠材とを連結する。
【００１２】
更に、前記において、壁用木材の嵌合部を縦枠材の被嵌合部に、上下に摺動可能に嵌合することを特徴とする壁パネルである。
【００１３】
前記における補強棒材は、所定の引張力を有する材料で有れば、その材質は問わない。例えば、鋼材・樹脂などからなる棒状、線状、細長板状等が考えられる。
【００１４】
また、前記における上横架材は、１対の案内柱に対して１枚の壁パネルで構成する場合には、壁パネルの上端に重ねられて配置される。壁パネルを２又は複数枚に分割する場合には、下方に位置する壁パネルの上端にも中間の梁材を介装する。
【００１５】
また、前記における壁用木材は単独の木材を使用した場合に、木材の乾燥収縮に対応する効果を発揮できるが、乾燥収縮が少ない各種積層材等を使用して、壁用木材を構成することもできる。
【００１６】
また、前記における移動規制手段は、壁用木材が水平面での移動が規制できれば、その具体的な構成は問わない。例えば、上下当接面で、だぼ穴を開けて共通のだぼを嵌挿して移動規制手段とする。また、上下当接面の一方にほぞ穴、他方にほぞを形成して、あるいは上下当接面に接着剤層を介装して移動規制手段とすることもできる。
【００１７】
【発明の実施の形態】
（１）　両端部に嵌合部１０、１０を形成した壁用木材１、１を、その軸を横にして（長手方向を横にして）上下に積み上げる。各壁用木材１には、積み上げた際に上下に連通するだぼ用貫通孔５５、５５を空けてあり、上下に隣接する壁用木材１、１で、隣接するだぼ用貫通孔５５、５５に共通するだぼ５６を嵌挿してある（図４）。だぼ５６、５６により、上下に隣接する壁用木材１、１は水平方向の移動が規制される。また、上下に隣接する壁用木材１、１の接合面には、上面嵌合部３、下面嵌合部６が形成され、互いに嵌合して、雨水の浸入を防ぎ、接合面の美観を保っている（図５（ｂ））。
【００１８】
また、壁用木材１の両端部に嵌合突部（嵌合部）１０、１０が形成され、積み上げて壁用木材１、１の両端部を縦枠材１５で連結する（図３、図５）。壁用木材１の嵌合突部１０と縦枠材１５の嵌合溝（被嵌合部）１７が嵌合し、上下に積み上げた壁用木材１、１が縦枠材１５、１５間から外れないように保持している。また、壁用木材１、１は縦枠材１５、１５に嵌合した状態で、上下に摺動可能となっている。従って、壁用木材１が痩せた場合であっても、縦枠材１５、１５に嵌合した状態で、寸法変化を吸収でできる。
【００１９】
以上のようにして壁パネル２０を構成する（図３）。壁パネル２０は、下側に配置する壁パネル２０Ａと上側に配置する壁パネル２０Ｂから、１つの面の壁を構成する。
【００２０】
（２）　　下横架材としての土台３０に、所定間隔で縦に配置した案内柱３３、３３の下端を固定する。
【００２１】
隣接する案内柱３３、３３間に、下側の壁パネル２０Ａを配置して、案内柱３３に沿って、壁パネル２０の縦枠材１５を位置させる。縦枠材１５から案内柱３３に釘３５、３５を打ち、縦枠材１５と案内柱３３とを固定する（図５（ａ）（ｂ））。
【００２２】
案内柱３３、３３に、筒状の基体２４を有する接合金物２３、２３Ａ等を摺動可能に嵌装し、接合金物２３、２３間に、中間梁３６を配置し、中間梁３６の両端部を接合金物２３、２３に固定する（図１０（ａ））。中間梁３６を壁パネル２０Ａの上面に重ねる。
【００２３】
（３）　　案内柱３３、３３の間で、中間梁３６の上面に、上側の壁パネル２０Ｂを載せ、同様に、壁パネル２０Ｂの縦枠材１５に釘３５を打ち、縦枠材１５と案内柱３３とを固定する。
【００２４】
同様に、案内柱３３、３３に、筒状の基体２４を有する接合金物２３、２３Ａ等を摺動可能に嵌装し、接合金物２３、２３間に配置した上部梁４０の両端部を接合金物２３、２３Ａに固定する（図１０（ａ））。ここで、上部梁４０は壁パネル２０Ｂの上面に重なる。
【００２５】
上部梁４０の貫通孔４２から、各壁用木材１、１の貫通孔１２、１２、中間梁３６の貫通孔３８に、通しボルト４４を上下に挿通して、通しボルト４４の下端部を土台３０の下面側の（土台３０の下方の基礎２８に埋設した）カプラー３１に定着させ、上端部を上部梁４０の上面で定着させる。
【００２６】
（４）　　以上のようにして、壁を構築し、上部梁４０に屋根構造５０等の上方の構造物を構築して、この発明の建築構造物５２を構成する（図１〜図３）。
【００２７】
（５）　　この建築構造物５２では、鉛直力（鉛直荷重）は、上部梁４０→壁用木材１→中間梁３６→壁用木材１→土台３０→基礎２８、と伝わる。即ち、壁用木材１、１の全面圧縮で抵抗する。この場合、案内柱に固定した縦枠材１５と壁用木材１とは上下に摺動可能であり、上部梁４０及び中間梁３６も接合金物２３を介して案内柱３３に対して上下に摺動可能であり、従って、案内柱３３は鉛直荷重に抵抗しない。ただし、接合金物２３と案内柱３３とを、摺動を規制して取付した場合、即ち、固定した場合には、案内柱３３が鉛直荷重に抵抗する。
【００２８】
また、引抜力に対しては、通しボルト４４が、カプラー３１を介して、土台３０で抵抗し、土台３０に作用する引抜力はアンカーボルトを介してコンクリート製の基礎２８で抵抗する。
【００２９】
また、水平力に対しては、だぼ用貫通孔５５、５５に嵌挿した、だぼ５６のせん断力により抵抗する。
【００３０】
また、だぼ５６により壁用木材１、１は一体の壁となるので、壁の面外変形に対しては、だぼ５６のせん断力→釘３５のせん断力→案内柱３３の曲げ、で抵抗する。案内柱３３の曲げ変形は、その壁に直交する他の壁に水平力として作用するので、直交する他の壁のだぼ５６のせん断力で最終的に抵抗する。
【００３１】
【実施例１】
図面に基づきこの発明の実施例を説明する。
【００３２】
［Ａ］壁パネル２０の構成
【００３３】
（１）　　壁用木材１は、軸を横にして配置され、上面に軸方向の凸条４、凹条５、凸条４と連続した上面嵌合部３を形成し、上面嵌合部３は、上方に向けてテーパーに（上端部から上方に向けて幅が徐々に細くなるように）形成されている。また、壁用木材１の下面には、軸方向の凹条８、凸条７、凹条８と連続した下面嵌合部６を形成し、下面嵌合部６は、下方に向けてテーパーに（下端部から下方に向けて幅が徐々に細くなるように）形成されている（図５（ｂ））。
【００３４】
また、壁用木材１は、中央部に２列、左右両端部に２列づつ、上下に貫通するだぼ用貫通孔５５、５５が、合計６箇所形成されている（図４）。壁用木材１、１を上下に重ねた際に、総ての壁用木材１、１で、総ての位置のだぼ用貫通孔５５、５５が、連通するように形成される（図４）。
【００３５】
また、壁用木材１の両端部は、縦方向の嵌合突部（ほぞ）１０、１０が夫々形成され、嵌合突部１０の先端から基端側に向けて、切り込み１１が形成されている（図６（ａ））。また、壁用木材１は、両端部で、嵌合突部１０より中央側に、上面から下面に向けて貫通孔１２、１２が夫々形成される（図３、図５（ａ））。
【００３６】
（２）　　予め、取付予定の案内柱３３の長さの約２分の１に対応させた高さＬ１の縦枠材１５を形成する（図３）。縦枠材１５の一面に、嵌合突部１０を挿入できる嵌合溝１７を長さ方向全長に亘り形成する。嵌合溝１７は、底が広い蟻溝に形成されている（図６（ａ））。
【００３７】
嵌合溝１７を向かい合わせて並列した縦枠材１５、１５間の最も下に、壁用木材１を配置し、壁用木材１の両端の嵌合突部１０、１０を、縦枠材１５、１５の嵌合溝１７に嵌合し、縦枠材１５の最下部に壁用木材１を取付ける。この際、嵌合突部１０の先端側に切り込み１１、１１を有し、切り込み１１に割楔１３を挿入しながら、嵌合溝１７内に挿入して、いわゆる「地獄ほぞ」で上下に摺動可能に取付される（図６（ｂ））。
【００３８】
（３）　　続いて、同様に、２段目の壁用木材１を縦枠材１５、１５間に配置し、嵌合溝１７に嵌合突部１０を嵌挿しながら、１つめの壁用木材１の上面嵌合部３に、下面嵌合部６を嵌合させて、壁用木材１、１を上下に積み重ねる。この際、上面嵌合部３と下面嵌合部６とは凸条４と凹条８、凹条５と凸条７とが互いに嵌合して水平方向の移動が規制され、２段目の壁用木材１も最下段の壁用木材１と同様に、縦枠材１５に、上下に摺動可能に取付けされる（図５（ｂ））。以下、同様に、所定数の壁用木材１、１を上下に重ねながら取り付ける。
【００３９】
（４）　　この際、２段目の壁用木材１を載せた段階で、連通した中央部、両端部の３箇所で、２列のだぼ用貫通孔５５の一方のだぼ用貫通孔５５に、だぼ５６を打ち込む。だぼ５６の上端は２段目の壁用木材１の上面と面一になり、下端は２段目の壁用木材１のだぼ用貫通孔５５を貫通して、１段目の壁用木材１のだぼ用貫通孔５５の中間深さまで達する（図４、図５（ｂ））。
【００４０】
また、３段目の壁用木材１を重ねた際に、連通した中央部、両端部の３箇所で、２列のだぼ用貫通孔５５の他方のだぼ用貫通孔５５に、だぼ５６を打ち込み、同様にだぼ５６の上端を３段目の壁用木材１の上面と面一に、下端を２段目の壁用木材１の貫通孔１の中間深さまで、至らせる。以下同様に、壁用木材１、１を重ねながらだぼ用貫通孔５５、５５にだぼ５６を打ち込む（図４）。
【００４１】
（５）　　以下、同様に、所定数の壁用木材１、１を取り付け、壁パネル２０を構成する（図３）。尚、前記のような壁用木材１に開けただぼ用貫通孔５５、５５とだぼ５６とで、移動規制手段を構成する。
【００４２】
（６）　　壁パネル２０を構成した段階で、縦枠材１５の上端１６は、最上段の壁用木材１の上面２１より、所定長さ宛下方に位置している（図３、図４）。この所定長さは、経年変化で壁用木材１、１が痩せた場合であっても、壁用木材１の上端２１が縦枠材１５の上端１６より上方に位置するように設定する。
【００４３】
また、各壁用木材１の上面嵌合部３は上方に向け、下面嵌合部６は下方に向けて夫々細幅に形成されているので、上下に隣接する壁用木材１、１間に、間隙１８、１８が形成される（図５（ａ）（ｂ））。
【００４４】
また、壁パネル２０を構成した段階で、各壁用木材１、１の貫通孔１２、１２が連通する（図３）。
【００４５】
［Ｂ］接合金物２３の構成
【００４６】
使用する案内柱３３に対応させて、案内柱３３に、案内柱３３に沿って上下に摺動可能に嵌装できるように、角筒状に形成した基体２４の側面中央に、上横架材を固定する長方形状の板片（接合腕）２５、２５を放射状に突設する。板片２５には、取付用の透孔２６、２６が穿設されている。基体の隣接する２側面に接板片を突設して、角部に使用する案内柱に適用する接合金物２３を構成する（図１０（ａ））。
【００４７】
尚、三方の壁が交わる案内柱３３に適用する接合金物２３Ａには、基体２４の３側面に板片２５、２５を突設し（図１０（ｂ））、四方の壁が交わる案内柱３３に適用する接合金物２３Ｂには、基体２４の全４側面に板片２５、２５を突設してある（図１０（ｃ））。
【００４８】
［Ｃ］壁パネル２０の取付
【００４９】
（１）　　コンクリート製の基礎２８の上に土台（下横架材）３０が、アンカーボルト等（図示していない）を介して固定されている。土台３０上に、所定位置（壁構築予定位置の交点）に、案内柱３３、３３を立設し、土台３０と各案内柱３３、３３の下端とを一体に固定する（図３）。土台３０と案内柱３３との固定は、木造軸組み構造における土台と柱の固定と同等に固定され、例えば、側面に各種金属板（Ｔ字型、Ｖ字型、Ｌ字型等）を沿わせて、ビス類で固定する（図示していない）。
【００５０】
また、基礎２８の切欠き部２９に、通しボルト４４の定着用のカプラー３１が埋設されている（図３、図２）。カプラー３１は、角筒状の鋼材を開口を横にして配置し、上面に形成した透孔（図示していない）を土台３０の貫通孔３２（通しボルト４４を挿通する）に連通させてある。また、アンカーボルトは、カプラー３１と基礎２８及び土台３０との一体性を確保するために、例えば、カプラー３１から水平距離で１５０ｍｍ程度の位置に配置されている。
【００５１】
（２）　実施例で使用する下側の壁パネル２０Ａ、上側の壁パネル２０Ｂは、前記壁パネル２０と同じ構造である。
【００５２】
続いて、案内柱３３、３３間に、壁パネル（下側）２０Ａを配置し、壁パネル２０Ａの縦枠材１５、１５を、案内柱３３、３３に沿わせる。次に、縦枠材１５の隙間１８、１８から、案内柱３３、３３の対向する面３４に向けて釘３５（例えば、ＣＮ釘）を打ち込み、壁パネル２０Ａを案内柱３３、３３間に固定する（図５（ａ））。
【００５３】
（３）　　続いて、案内柱３３、３３に、接合金物２３、２３Ａの基体２４を嵌装し、接合金物２３、２３Ａ間に、中間梁（上横架材）３６を架設する。この際、中間梁３３の先端部の切り欠き３７、３７内に、接合金物２３、２３Ａの板片２５が嵌挿される。中間梁の側面からビスを打ち込み、ビスの先端部を、板片２５の透孔２６内を通過させて、固定する（図３、図１０）。
【００５４】
（４）　　続いて、案内柱３３、３３間で、中間梁３６上に他の壁パネル（上側）２０Ｂを配置し、壁パネル２０Ｂの縦枠材１５、１５を、案内柱３３、３３に沿わせる。次に、同様に、縦枠材１５の隙間１８、１８から、案内柱に向けて釘（例えば、ＣＮ釘）３５、３５を打ち込み、壁パネル２０Ｂを案内柱３３、３３間に固定する（図５）。
【００５５】
（５）　　続いて、同様に、案内柱３３、３３に、他の接合金物２３、２３Ａの基体２４を嵌装し、接合金物２３、２３Ａ間に、上部梁（上横架材）４０を架設する。この際、同様に、上部梁４０の先端部の切り欠き４１内に板片２５が嵌挿される。上部梁４０の側面からビスを打ち込み、ビスの先端部を、板片２５の透孔２６内を通過させて、固定する。
【００５６】
（６）　前記において、案内柱３３、３３の他の面への壁パネル２０Ａ、２０Ｂ、中間梁３６、上部梁４０の取付けを、各面で、同様に行う。この場合、１つの案内柱３３に対する総ての面で、中間梁３６の設置が完了した後に、上側の壁パネル２０Ｂを施工する。
【００５７】
（７）　各案内柱３３、３３の総ての面で、壁パネル２０Ａ、２０Ｂ、中間梁３６、上部梁４０の取付が完了したならば、各上部梁４０の貫通孔４２と、各壁用木材１の貫通孔１２と、中間梁３６の貫通孔３８とが連通するので、連通した貫通孔１２、３８、４２に、長さＬ２の通しボルト（補強棒材）４４を挿通する（図３）。通しボルト４４の先端部を土台３０内のカプラー３１に定着させる。定着は、例えば、カプラー３１内の螺孔に通しボルト４４の先端の螺糸部を螺合して行う。通しボルト４４の上端部を上部梁４０の上面に定着させる。定着は例えば、通しボルト４４の上端部の螺糸部にナット４５を螺合緊結して行う（図３）。また、通しボルト４４には、中間梁３６の上下面を挟むようにナット４５、４５を螺合して緊結する（図２）。
【００５８】
（８）　続いて、各案内柱３３、３３で、縦枠材１５と壁用木材１の端部を覆う被覆板４６を配置して、被覆板４６と縦枠材１５及び案内柱３３とを釘等で固定する（図８）。尚、案内柱３３の隅部の外側（図８（ａ））、直線部分では（図８（ｂ）（ｄ））、案内柱３３の側面も覆うような被覆板４６Ａを使用する。また、壁パネル２０が独立して立てられる部分では、端部の案内柱３３を囲うように被覆板４６Ａ等を取付ける（図８（ｅ））。尚、被覆板４６、４６Ａ等は主に意匠上の目的で取り付け、構造上の作用は少ない。
【００５９】
（９）　以上で、壁の構築が完了し、中間梁３６、３６に２階床を接合し、上部梁４０、４０の上に屋根構造５０を接合して、この発明の建築構造物５２を構築する（図１、図２）。
【００６０】
（１０）この建築構造物５２では、壁用木材１、１が経年変化で、痩せた場合であっても、壁用木材１、１が縦枠材１５、１５に沿って、若干下降するが全体として壁面を保つ。また、壁用木材１、１の下降に伴って、中間梁３６、３６、上部梁４０、４０も案内柱３３に沿って、接合金物２３と共に下降し、全体として、構造上の一体性を保つことができる。尚、この際、ナット４５、４５を適宜、締め直して、通しボルト４４を締めた状態としておくことが必要である（図２、３）。
【００６１】
［Ｄ］他の実施例
【００６２】
（１）　　前記実施例において、縦枠材１５の嵌合溝１７と壁用木材１の嵌合突部１０とを、蟻溝と、いわゆる「地獄ほぞ」とで接合したが、蟻溝と蟻ほぞ、とすることもできる（図５（ｃ））。この場合には、縦枠材１５の下端（又は上端）から嵌合溝１７と嵌合突部１０とを嵌合して摺動させながら所定位置に納める。
【００６３】
また、縦枠材１５と壁用木材１、１の端部との取付は、壁用木材１、１が縦枠材１５から外れることなく、かつ壁用木材１、１が上下に摺動可能となるように取り付けられていれば、他の構造とすることもできる。例えば、底部が同じ幅の嵌合溝１７と嵌合突部１０とから構成することもできる（図７（ｃ））。また、縦枠材１５側に嵌合突条１９を形成し、壁用木材１側に凹条１４を形成して嵌合させることもできる（図７（ａ）（ｂ））。また、縦枠材１５に嵌合溝１７、壁用木材１に凹条１４を形成し、嵌合溝１７及び凹条１４に、だぼ状の小片４７を嵌挿して、縦枠材１５、１５に壁用木材１、１を取付けることもできる（図７（ｄ））。
【００６４】
（２）　　また、縦枠材１５を、基板に突条１９を形成した鋼材から一体形状で構成することもできる（図１２）。例えば、案内柱３３に当接できる基板６７の中央部に、長さ方向の突板６８を突設して、突板６８の先端に長さ方向に沿ったパイプ部材６９を連設し、略Ｔ字状断面を形成する。更に基板６８で、突板６８の両側に並列して長さ方向の小突板（フィン）７０、７０を突設し、以上の形状を一体に形成して縦枠材１５を構成する（図１２（ａ））。即ち、パイプ部材６９付きの突板６８、小突板７０、７０から突条１９を構成する。この場合、対応する壁用木材１の端面に形成される凹条１４は、突板６８及びパイプ部材６９が嵌合される切込み７２及び円孔７３、小突板７０を嵌合する切欠き７４、７４から構成する。また、案内柱３３と縦枠材１５との固定は、基板６７に形成された透孔７１、７１から案内柱３３に釘３５を打って行う。尚、透孔７１は基板６８の端側に形成され、透孔７１からの釘３５の打ち作業は、壁用木材１を嵌合する前後を問わず行うことができ、他の取付工程、構造は前記実施例と同様である。
【００６５】
また、例えば、基板６８に、略コ字状部材７５からなる突条１９を形成して、縦枠材１５を構成することもできる（図１２（ｂ））。略コ字状部材７５は基部７６の両側を屈曲して立上げ片７７、７７とし、立上げ片７７、７７を先端が近付くようにさらに屈曲して形成する。基板６７に略コ字状部材７５を溶接固着して、縦枠材１５を構成する。この場合、対応する壁用木材１の端面に形成される凹条１４は、略コ字状部材７５の基部７６及び立上げ片７７、７７が嵌合される切欠き７８、７９から構成する。また、前記同様に、基板６７の両側に案内柱３３に固定する為の釘を挿通する透孔７１、７１が形成されている。
【００６６】
（３）　　また、前記実施例において、中間梁３６の下面、上部梁４０の下面を壁用木材１の上面嵌合部３と嵌合できる形状（即ち、下面嵌合部６と同様な断面形状とし）、中間梁３６の上面を、下面嵌合部と嵌合できる形状（即ち、上面嵌合部３と同様な形状）とすることもできる（図示していない）。
【００６７】
（４）　　また、前記実施例において、中間梁３６や上部梁４０に予め接合金物２３、２３Ａ、２３Ｂを固定した状態で、構築現場に搬入することもできる（図示していない）。この場合には、少なくとも１面で、接合金物２３、２３Ａ、２３Ｂと中間梁３６、上部梁４０の取付作業を省略できる。
【００６８】
（５）　　また、前記実施例において、壁パネル２０は、案内柱３３の全長に対して、上下に分割して、２分の１の高さの壁パネル２０Ａ、２０Ｂを使用したが、案内柱３３の全長に対して、１枚のパネルで形成することもできる（図示していない）。
【００６９】
（６）　　また、前記実施例において、壁パネル２０の壁用木材１、１で、上面嵌合部３に凸条４及び凹条５を形成し、下面嵌合部６に凸条７及び凹条８を形成したが、上面嵌合部３と下面嵌合部６とを互いに嵌合できる構造であれば、その構造は任意である（図示していない）。
【００７０】
（７）　　また、前記実施例において、壁パネル２０で、壁用木材１、１は上面嵌合部３と下面嵌合部６とで嵌合したので、雨水等の室内側への漏れを防止して、接合面での美観も良いが、嵌合形状は任意である。また、上面嵌合部３と下面嵌合部６を省略して、フラットな接合面とすることもできる（図示していない）。
【００７１】
（８）　　また、前記実施例において、だぼ用貫通孔５５とだぼ５６とで、上下の壁用木材１、１を接合して、移動規制手段として、壁用木材１、１の水平方向の移動を規制して、壁パネル２０の一体性を確保したが、だぼ５６の断面形状は角・丸等任意で、材質も木製、鋼製など任意であり、鋼製とした場合には、丸鋼、コーチスクリューボルト等を使用することもできる。また、水平方向の移動が規制できれば、移動規制手段として、ほぞとほぞ穴とを組み合わせた嵌合構造等とすることもできる（図示していない）。また、上下の壁用木材１、１を嵌合構造とせず、当接面に接着剤層を介装して移動を規制することもできる（図示していない）。また、嵌合構造とすると共に更に、接着剤層を介装することもできる。
【００７２】
また、前記実施例において、引抜力に抵抗する為等で、通しボルト４４を用いたが、貫通孔１２内の通しボルト４４を移動規制手段として兼用することもできる。
【００７３】
（９）　　また、前記実施例における壁用木材１、１の貫通孔１２、だぼ用貫通孔５５の配置、即ち、壁パネル２０での通しボルト４４、だぼ５６の配置は図４図示の例に限られない。但し、応力が均等に作用するように、例えば左右対称の配置とすることが望ましい。
【００７４】
（１０）　また、前記実施例において、壁パネル２０と案内柱３３との固定は、壁パネル２０の縦枠材１５と案内柱３３とを、間隙１８から釘３５を打ち込んで固定したので、釘３５が見えず美観良く納まるが、固定は他の構造とすることもできる。例えば、案内柱３３の外面と縦枠材１５の外面とに、透孔４９、４９を穿設した鋼板からなる補強板４８を沿わせて、透孔４９、４９から釘５７を打ち込んで固定することもできる（図９（ａ））。
【００７５】
また、縦枠材１５に溝孔５８、案内柱３３に貫通孔５９を夫々穿設して連通させ、溝孔５８、貫通孔５９に共通のほぞパイプ６０を嵌挿することもできる（図９（ｂ））。この場合、ほぞパイプ６０の貫通孔６１、６１ａに、連通するように縦枠材１５に貫通孔６２を、案内柱３３に貫通孔６３を夫々穿設する。貫通孔６２、貫通孔６１を貫通するボルト６４を挿通し、貫通孔６３、貫通孔６１ａを貫通するボルト６４を挿通して、各ボルト６４にナット６５を螺合緊結する（図９（ｂ））。
【００７６】
また、案内柱３３の面３４と、壁パネル２０の縦枠材１５の外面との間に接着剤層６６を介装して固定することもできる（図９（ｃ））。
【００７７】
（１１）　また、前記実施例において、接合金物２３は、透孔２６を有する板片２５から接合腕としたが、他の接合腕の構成とすることもできる。例えば、前記接合金物２３で、基体２４の側面と板片２５との間に水平方向の受け板２７を取付けて接合腕として、接合金物２３を構成することもできる（図１１（ａ））。この場合、板片２５の上部自由端をテーパー状に切り欠いてある。
【００７８】
また、接合金物２３で、接合腕を透孔２６を穿設した２枚の板片２５、２５から構成し（図１１（ｂ））、更に２枚の板片２５、２５と受け板２７とから接合腕を構成することもできる（図１１（ｃ））。また、前記接合金物２３で案内柱３３を断面円柱とした場合に、案内柱３３に摺動可能に嵌装できるように、基体２４は円筒に形成する（図１１（ｄ））。
【００７９】
（１２）　また、前記実施例において、通しボルト４４は中間梁３６の上下面でもナット４５、４５で定着したので、強固に接合でき好ましいが、少なくとも通しボルト４４の上下で定着されていれば、中間梁３６の上下面での定着は省略することもできる（図示していない）。
【００８０】
また、上下のパネル２０Ａ、２０Ｂで、１本の通しボルト４４を通したが、パネル２０Ａ、２０Ｂ毎に短い通しボルトを通すこともできる（図示していない）。この場合、パネル２０Ａの通しボルトの上端とパネル２０Ｂの通しボルトの下端とをジョイントナットで連結し、パネル２０Ａの通しボルトの下端をカプラー３１に、パネル２０Ｂの通しボルトの上端をナット４５に連結する。
【００８１】
（１３）　また、前記実施例で、壁用木材１、１と縦枠材１５、１５とを予め工場で組み立てて壁パネル２０として、現場に搬入したので、施工を大幅に簡略化できるが、現場で、壁用木材１、１を縦枠材１５、１５に取付けながら、縦枠材１５を案内柱３３に固定することもできる（図示していない）。
【００８２】
（１４）　また、前記実施例において、重ねた壁用木材１、１は上下に摺動可能に縦枠材１５に取り付けたが、所定位置で、全部又は一部の壁用木材１と縦枠材１５とを、釘やビス等又接着により固定することもできる（図示していない）。この場合には、経年変化で壁用木材１が痩せた場合の効果は弱まるが、壁パネル２０としての一体性が高められるので、施工時に取扱い易くなると共に、壁構造としての耐力が強化される。
【００８３】
（１５）　また、前記実施例において、案内柱３３、３３を立設し、土台３０に固定した後に、案内柱３３の上方から接合金物２３、２３Ａを嵌装したが、予め案内柱３３の下端部に接合金物２３、２３Ａを嵌装した状態で立設することもできる（図示していない）。
【００８４】
即ち、案内柱３３の下端部に、中間梁３６用及び上部梁４０用の接合金物２３、２３Ａの基体２４を嵌装しながら、案内柱３３を土台３０に固定する。あるいは、予め下端部に、接合金物２３、２３Ａの基体２４を嵌装して必要ならば仮止めした状態で、案内柱３３を土台３０に立設固定する。この状態で、案内柱３３に沿って上下２段に接合金物２３、２３Ａが嵌装されており、案内柱３３間に上部梁４０、中間梁３６を配置して、前記実施例と同様に、上部梁４０、中間梁３６の両端を夫々接合金物２３、２３Ａに固定する。
【００８５】
続いて、接合金物２３、２３Ａと共に、上部梁４０、中間梁３６を上昇させ、中間梁３６、上部梁４０を構築予定の高さで保持する。続いて、案内柱３３、３３間で、土台３０と中間梁３６との間に壁パネル２０Ａ、中間梁３６と上部梁４０との間に壁パネル２０Ｂを夫々取付ける。壁パネル２０Ａ、２０Ｂの取付構造は前記実施例と同様である。また、以降の工程も、前記実施例と同様である。
【００８６】
また、この場合、案内柱３３を予め長めに形成しておき、案内柱３３の上端部を案内として利用して上部梁４０を一旦、配置位置より上端付近まで上昇させて、所定位置に壁パネル２０を取付け、その後に上部梁４０を下げて、所定位置に設置することもできる。その後、不要となった案内柱３３の上端部を切断して除去することもできる。
【００８７】
また、ここで、中間梁３６と上部梁４０とを中間梁３６の位置まで上昇して、壁パネル２０Ａのみ取付け、その後上部梁４０を上昇させて、壁パネル２０Ｂを取付けることもできる。
【００８８】
（１６）　前記実施例において、案内柱３３と中間梁３６、上部梁４０とは、接合金物２３、２３を介して、案内柱３３に沿って上下に摺動可能に取り付けたが、接合金物に透孔８０、８０を形成し、透孔８０から案内柱３３にビスや釘を打って、上下の摺動を規制して取り付けること、即ち固定することもできる（図１０鎖線図示、透孔８０）。尚、この場合には、構造上は強化されるが、壁用木材１が痩せた場合に、中間梁３６、上部梁４０が、壁用木材１、１の下降に追随することはできない。
【００８９】
また、このように、案内柱３３と中間梁３６、上部梁４０とを固定する場合には、接合金物２３に代えて、例えば、木造軸組構造で通常に使用される柱梁の接合金物を使用することもできる（図示していない）。
【００９０】
【発明の効果】
この発明では、移動規制手段で固定した壁用木材を縦枠材で上下に摺動可能に嵌合したので、壁用木材の乾燥収縮が生じた場合であっても、縦枠材に影響を与えることなく積み上げた壁用木材の連結を維持しできる効果がある。また、縦枠材と案内柱とを固定し、かつ上横架材を摺動可能に案内柱に固定した場合には、壁用木材は、直接に案内柱に固定されす、壁用木材の乾燥収縮の影響を案内柱に与えない。
【００９１】
また、予め壁パネルを形成して、壁用木材を上下に積み重ねた状態で、形成すれば、建築構造物の施工を大幅に簡略化できる効果がある。
【図面の簡単な説明】
【図１】この発明の実施例で構築した建築構造物の一部正面図である。
【図２】同じく一部縦断面図である。
【図３】この発明の壁パネルの取付を表す分解斜視図である。
【図４】壁パネルの壁用木材の他の積み上げ構造を表す一部を破切した正面図である。
【図５】（ａ）は同じく壁パネルの取付を表す一部拡大縦断面図で、（ｂ）は（ａ）のＡ−Ａ線における断面図である。
【図６】（ａ）（ｂ）は壁用木材と縦枠材との嵌合を表す断面図である。
【図７】同じく壁用木材と縦枠材との他の嵌合を表す断面図である。
【図８】（ａ）〜（ｃ）は、壁パネルと案内柱の取付けを表す横断面図である。
【図９】（ａ）〜（ｃ）は、壁パネルの縦枠材と案内柱との他の取付けを表す横断面図である。
【図１０】（ａ）〜（ｃ）は、実施に使用する接合金物の斜視図である。
【図１１】（ａ）〜（ｄ）は、他の接合金物の斜視図である。
【図１２】（ａ）（ｂ）は、この発明の壁用木材と縦枠材の他の嵌合を表す断面図である。
【符号の説明】
１　　壁用木材
３　　上面嵌合部（壁用木材）
４　　凸条（上面嵌合部）
５　　凹条（上面嵌合部）
６　　下面嵌合部（壁用木材）
７　　凸条（下面嵌合部）
８　　凹条（下面嵌合部）
１０　嵌合突部（壁用木材。嵌合部）
１２　貫通孔（壁用木材）
１５　縦枠材
１６　縦枠材の上端
１７　嵌合溝（縦枠材。被嵌合部）
１８　間隙
２０、２０Ａ、２０Ｂ　壁パネル
２１　最上に位置する壁パネルの上面
２３、２３Ａ、２３Ｂ　接合金物
２４　基体（接合金物）
２５　板片（接合金物。接合腕）
２７　受け板（接合金物。接合腕）
２８　基礎
３０　土台（下横架材）
３１　カプラー
３３　案内柱
３４　案内柱の対向する面
３５　釘（例えば、ＣＮ釘）
３６　中間梁（上横架材）
３７　切欠き
３８　貫通孔
４０　上部梁（上横架材）
４１　切欠き
４２　貫通孔
４４　通しボルト（補強棒材）
４５　ナット
４６　被覆板
５０　屋根構造
５２　建築構造物
５５　だぼ用貫通孔（移動規制手段）
５６　だぼ（移動規制手段）
【図１】
2004124698.tif 000003
【図２】
2004124698.tif 000004
【図３】
2004124698.tif 000005
【図４】
2004124698.tif 000006
【図５】
2004124698.tif 000007
【図６】
2004124698.tif 000008
【図７】
2004124698.tif 000009
【図８】
2004124698.tif 000010
【図９】
2004124698.tif 000011
【図１０】
2004124698.tif 000012
【図１１】
2004124698.tif 000013
【図１２】
2004124698.tif 000014